(57)【要約】【課題】振動や摺動によって第１弾性片と第２壁部の接触部、第２弾性片同士の接触部が同時に摩耗することを回避し、接触抵抗の増加を阻止する。【解決手段】本明細書によって開示される雄雌共用端子３０は、筒状をなして前後方向に延びる形態をなし、第１方向に対向する一対の第１壁部３４、３６、および第２方向に対向する一対の第２壁部３５を備えて構成された本体部３１と、一対の第１壁部３４、３６の前縁から第１方向に対向しつつ前側に延出して設けられ、正規接続状態で相手側の一対の第２壁部３５Ａに弾性的に接触して本体部３１を挟持する一対の第１弾性片３８、３９と、一方の第２壁部３５の前縁から他方の第２壁部３５の前縁に向けて延出された第２弾性片４０であって、正規接続状態で相手側第２弾性片４０Ａに弾性的に接触する第２弾性片４０とを備えた構成とした。【選択図】図１
2015201386.tif 000002
【特許請求の範囲】
【請求項１】
同一形状をなす一対の雄雌共用端子が接続する方向を前後方向として互いに接続する側を前側とし、前記前後方向と直交する面内において互いに直交する方向を第１方向および第２方向としたときに、相手側の前記雄雌共用端子に正規に接続された正規接続状態で前記前側、前記第１方向両側、および前記第２方向両側のいずれにおいても移動が抑制される雄雌共用端子であって、
筒状をなして前記前後方向に延びる形態をなし、前記第１方向に対向する一対の第１壁部、および前記第２方向に対向する一対の第２壁部を備えて構成された本体部と、
一対の前記第１壁部の前縁から前記第１方向に対向しつつ前記前側に延出して設けられ、前記正規接続状態で相手側の前記一対の第２壁部に弾性的に接触して前記本体部を挟持する一対の第１弾性片と、
一方の前記第２壁部の前縁から他方の前記第２壁部の前縁に向けて延出された第２弾性片であって、前記正規接続状態で相手側の前記第２弾性片に弾性的に接触する第２弾性片とを備えた雄雌共用端子。
【請求項２】
前記第１弾性片は、前記正規接続状態で相手側の前記第２壁部に点接触もしくは線接触する第１接点部を有する請求項１に記載の雄雌共用端子。
【請求項３】
前記第２弾性片は、前記正規接続状態で相手側の前記第２弾性片に点接触もしくは線接触する第２接点部を有する請求項１または請求項２に記載の雄雌共用端子。
【請求項４】
前記本体部は四角筒状をなし、前記一対の第１壁部と、前記一対の第２壁部とからなる請求項１から請求項３のいずれか一項に記載の雄雌共用端子。
【請求項５】
請求項１から請求項４のいずれか一項に記載の雄雌共用端子と、
同一形状をなす相手側のハウジングに嵌合可能とされ、前記雄雌共用端子を収容して保持するハウジングとを備え、
前記ハウジングは、係止部と、前記相手側のハウジングに設けられた係止部と係止することで前記相手側のハウジングと正規に嵌合した正規嵌合状態に保持する被係止部とを有する雄雌共用コネクタ。
【請求項６】
前記ハウジングは、前記第１弾性片の撓み空間を確保しつつその撓み空間側に設けられた係止片を有し、前記係止部は、前記係止片における前記第１弾性片とは反対側に設けられている請求項５に記載の雄雌共用コネクタ。
【請求項７】
前記ハウジングは、前記正規嵌合状態で前記係止片を収容する凹部を有し、前記第２壁部は、前記凹部に臨んで配される請求項６に記載の雄雌共用コネクタ。
【発明の詳細な説明】
【技術分野】
【０００１】
本発明は、雄雌共用端子および雄雌共用コネクタに関する。
【背景技術】
【０００２】
従来、雄端子と雌端子を使い分ける必要のない雄雌共用端子として、例えば特開２０１０−１５３０５６号公報（下記特許文献１）に記載のものが知られている。この公報に記載のオスメス共用端子は、電線接続部に連成された基体部を有し、この基端部から一対の桶状のタブを背中合わせに延出させて接続部を形成したものである。一対のオスメス共用端子を接続すると、接続部が互いに交差する配置で隣り合う一対のタブ同士が圧接されるようになっている。
【先行技術文献】
【特許文献】
【０００３】
【特許文献１】特開２０１０−１５３０５６号公報
【発明の概要】
【発明が解決しようとする課題】
【０００４】
しかしながら、上記のオスメス共用端子では、一対のオスメス共用端子の接続方向に対して直交する方向への振動や摺動が抑制されているものの、接続方向については振動や摺動が可能とされているため、一方のタブの接触部とこの接触部に接触する他方のタブの被接触部とが摩耗し、接触抵抗の増加につながる。
【課題を解決するための手段】
【０００５】
本明細書によって開示される雄雌共用端子は、同一形状をなす一対の雄雌共用端子が接続する方向を前後方向として互いに接続する側を前側とし、前記前後方向と直交する面内において互いに直交する方向を第１方向および第２方向としたときに、相手側の前記雄雌共用端子に正規に接続された正規接続状態で前記前側、前記第１方向両側、および前記第２方向両側のいずれにおいても移動が抑制される雄雌共用端子であって、筒状をなして前記前後方向に延びる形態をなし、前記第１方向に対向する一対の第１壁部、および前記第２方向に対向する一対の第２壁部を備えて構成された本体部と、一対の前記第１壁部の前縁から前記第１方向に対向しつつ前記前側に延出して設けられ、前記正規接続状態で相手側の前記一対の第２壁部に弾性的に接触して前記本体部を挟持する一対の第１弾性片と、一方の前記第２壁部の前縁から他方の前記第２壁部の前縁に向けて延出された第２弾性片であって、前記正規接続状態で相手側の前記第２弾性片に弾性的に接触する第２弾性片とを備えた構成とした。
【０００６】
このような構成によると、雄雌共用端子に対して相手側の雄雌共用端子を９０°回転させた姿勢で接続させることにより、一対の雄雌共用端子を正規に接続させることができる。このとき、一対の第１弾性片は、相手側の一対の第２壁部に弾性的に接触し、相手側の一対の第１弾性片は、一対の第２壁部に弾性的に接触し、第２弾性片は、相手側の第２弾性片に弾性的に接触した状態となる。ここで仮に相手側の雄雌共用端子が固定されているとした場合、雄雌共用端子が第１方向両側に移動しようとすると、一対の第１弾性片が相手側の第２壁部に当接することでその移動が阻止される。また、雄雌共用端子が第２方向両側に移動しようとすると、第２壁部が相手側の第１弾性片に当接することでその移動が阻止される。さらに、雄雌共用端子が前側に移動しようとすると、第２弾性片が相手側の第２弾性片に当接することでその移動が阻止される。したがって、振動や摺動によって第１弾性片と相手側の第２壁部との接触部、第２弾性片同士の接触部が同時に摩耗することを回避でき、接触抵抗の増加を阻止できる。
【０００７】
本明細書によって開示される雄雌共用端子として、以下の構成としてもよい。
前記第１弾性片は、前記正規接続状態で相手側の前記第２壁部に点接触もしくは線接触する第１接点部を有する構成としてもよい。
このような構成によると、雄雌共用端子がわずかに傾いた場合であっても、第１弾性片と相手側の第２壁部との接触面積が急激に変動することはなく、安定した接触抵抗を得ることができる。
【０００８】
前記第２弾性片は、前記正規接続状態で相手側の前記第２弾性片に点接触もしくは線接触する第２接点部を有する構成としてもよい。
このような構成によると、第２弾性片と相手側の第２弾性片とが点接触もしくは線接触するため、面接触する場合よりも接圧を高めることができる。また、雄雌共用端子がわずかに傾いた場合であっても、第２弾性片と相手側の第２弾性片との接触面積が急激に変動することはなく、安定した接触抵抗を得ることができる。
【０００９】
前記本体部は四角筒状をなし、前記一対の第１壁部と、前記一対の第２壁部とからなる構成としてもよい。
このような構成によると、本体部の構成を簡素化することができ、雄雌共用端子をプレス加工によって製造しやすくなる。
【００１０】
また、本明細書によって開示される雄雌共用コネクタは、上記の雄雌共用端子と、同一形状をなす相手側のハウジングに嵌合可能とされ、前記雄雌共用端子を収容して保持するハウジングとを備え、前記ハウジングは、係止部と、前記相手側のハウジングに設けられた係止部と係止することで前記相手側のハウジングと正規に嵌合した正規嵌合状態に保持する被係止部とを有する構成としてもよい。
このような構成によると、係止部と相手側の被係止部とを係止させることで、ハウジングと相手側のハウジングとを正規嵌合状態に保持することができる。これに伴って、雄雌共用端子と相手側の雄雌共用端子とを正規接続状態に保持することができる。
【００１１】
前記ハウジングは、前記第１弾性片の撓み空間を確保しつつその撓み空間側に設けられた係止片を有し、前記係止部は、前記係止片における前記第１弾性片とは反対側に設けられている構成としてもよい。
このような構成によると、係止片によって第１弾性片を保護することができる。
【００１２】
前記ハウジングは、前記正規嵌合状態で前記係止片を収容する凹部を有し、前記第２壁部は、前記凹部に臨んで配される構成としてもよい。
このような構成によると、係止片が凹部に収容されることで第２壁部が係止片によって保護される。
【発明の効果】
【００１３】
本明細書によって開示される技術によれば、振動や摺動によって第１弾性片と第２壁部の接触部、第２弾性片同士の接触部が同時に摩耗することを回避でき、接触抵抗の増加を阻止できる。
【図面の簡単な説明】
【００１４】
【図１】実施形態１の雄雌共用端子を相手側の雄雌共用端子に接続する前の状態を示した斜視図
【図２】雄雌共用端子を相手側の雄雌共用端子に接続した後の状態を示した斜視図
【図３】雄雌共用端子の展開図
【図４】雄雌共用コネクタを相手側の雄雌共用コネクタに嵌合する前の状態を示した斜視図
【図５】雄雌共用コネクタを相手側の雄雌共用コネクタに嵌合する前の状態を示した断面図
【図６】雄雌共用コネクタを相手側の雄雌共用コネクタに嵌合した後の状態を示した断面図
【図７】実施形態２の雄雌共用端子を示した断面図
【図８】実施形態３の雄雌共用端子を示した斜視図
【図９】実施形態４の雄雌共用端子を示した斜視図
【図１０】実施形態５の雄雌共用端子を示した斜視図
【図１１】実施形態６の雄雌共用端子を示した斜視図
【発明を実施するための形態】
【００１５】
＜実施形態１＞
実施形態１を図１から図６の図面を参照しながら説明する。本実施形態の雄雌共用コネクタ（以下「コネクタ」という。）１０は、図１に示すように、同一形状をなす相手側の雄雌共用コネクタ（以下「相手側コネクタ」という。）１０Ａと嵌合可能とされている。コネクタ１０と相手側コネクタ１０Ａは同一構成であるため、構成についてはコネクタ１０を代表として説明し、相手側コネクタ１０Ａにおいてコネクタ１０と同一部分については数字の後にＡを付した符号を使用するものとする。なお、以下の説明において相手側の部材の符号として、数字の後にＡを付した符号を使用する点については同様である。
【００１６】
雄雌共用コネクタ１０は、図４に示すように、雄雌共用ハウジング（以下「ハウジング」という。）２０と、雄雌共用端子（以下「端子」という。）３０とを備えて構成されている。ハウジング２０は、同一形状をなす相手側のハウジング（以下「相手側ハウジング」という。）２０Ａと嵌合可能とされている。また、端子３０は、同一形状をなす相手側の端子（以下「相手側端子」という。）３０Ａと接続可能とされている。
【００１７】
ハウジング２０は合成樹脂製であって、端子３０を収容するキャビティ２１を有している。キャビティ２１は、図５に示すように、ハウジング２０を前後方向に貫通する形態をなしている。なお、端子３０と相手側端子３０Ａが接続する方向を前後方向として互いに接続する側（端子３０にあっては図５の図示右側、相手側端子３０Ａにあっては図５の図示左側）を前側とする。また、前後方向と直交する面内において互いに直交する方向を上下方向（図５の上下方向）および左右方向（図５の紙面と直交する方向）とする。
【００１８】
端子３０は、図１に示すように、四角筒状をなして前後方向に開口する本体部３１と、この本体部３１の後側に連設された電線接続部３２と、本体部３１の前側に連設された端子接続部３３とを備えて構成されている。また、端子３０は、図３の展開図に示すように、導電性の良い金属板を所定の形状に打ち抜いた後、一点鎖線の位置で曲げ加工を行うとともに、鎖線で囲まれた部分４１、４２を叩き出す等によって形成されている。
【００１９】
本体部３１は、図５に示すように、底壁部３４と、この底壁部３４の左右両側縁から上方に立ち上がる一対の側壁部３５と、一対の側壁部３５の上縁間に配された天井壁部３６とを備えて構成されている。一対の側壁部３５は左右方向に対向して平行に配され、底壁部３４と天井壁部３６は上下方向に対向して平行に配されている。底壁部３４と側壁部３５と天井壁部３６とは、いずれも同じ長さとされている。このため、本体部３１は、前方から見て正方形状をなしており、上下方向および左右方向に等しい寸法とされている。
【００２０】
電線接続部３２は、図１に示すように、本体部３１と共通の底壁部３４を有し、この底壁部３４の左右両側縁から上方に立ち上がる一対のバレル片３７を有している。このバレル片３７は、図示しない電線の芯線にかしめられて圧着されるようになっている。これにより、端子３０と電線が導通可能に接続されるようになっている。
【００２１】
端子接続部３３は、底壁部３４の前縁から前方に突出して形成された底壁側第１弾性片３８と、天井壁部３６の前縁から前方に突出して形成された天井壁側第１弾性片３９と、一方の側壁部３５の前縁から他方の側壁部３５の前縁に延出された第２弾性片４０とを備えて構成されている。なお、以下においては、底壁側第１弾性片３８と天井壁側第１弾性片３９を略して一対の第１弾性片３８、３９のようにいう場合がある。
【００２２】
底壁側第１弾性片３８は、底壁部３４の前縁から斜め下方に延出した後、その延出端から前方に延出する形態をなしている。底壁側第１弾性片３８の前端側には、左右方向に長いリブ状をなす底壁側接点部４１が形成されている。同様に、天井壁側第１弾性片３９は、天井壁部３６の前縁から斜め上方に延出した後、その延出端から前方に延出する形態をなしている。天井壁側第１弾性片３９の前端側には、左右方向に長いリブ状をなして内向きに突出する天井壁側接点部４２が形成されている。
【００２３】
第２弾性片４０は、本体部３１の前端開口とほぼ同じ大きさでかつ同じ形状とされている。このため、本体部３１の前端開口は、常には第２弾性片４０によって閉止された状態となっており、第２弾性片４０が後方に向けて押し込まれると、この第２弾性片４０が本体部３１内に進入可能となっている。第２弾性片４０の中央部には、点状をなして前方に突出する第２接点部４３が形成されている。
【００２４】
底壁側接点部４１と天井壁側接点部４２は、上下方向に対向する配置とされており、底壁側接点部４１と天井壁側接点部４２の間の寸法は、一方の側壁部３５の外面から他方の側壁部３５の外面までの寸法よりも短めとされている。したがって、図２に示すように、底壁側接点部４１と天井壁側接点部４２の間に相手側本体部３１Ａを組み付けると、一対の第１弾性片３８、３９が弾性的に拡開変形し、底壁側接点部４１と天井壁側接点部４２が相手側の一対の側壁部３５Ａに弾性的に線接触して相手側本体部３１Ａを挟持する。
【００２５】
また、図１に示すように、第２弾性片４０の第２接点部４３は、本体部３１の軸心を前後方向に通る軸線上に配されている。このため、軸線を中心として本体部３１を回転させても第２接点部４３の位置は不動である。また、底壁側第１弾性片３８の底壁側接点部４１と天井壁側第１弾性片３９の天井壁側接点部４２とは、本体部３１の軸線に関して等距離で上下対称に配されている。したがって、図２に示すように、底壁側接点部４１と天井壁側接点部４２の間に相手側本体部３１Ａを組み付けると、図６に示すように、第２接点部４３と相手側の第２接点部４３Ａとが弾性的に点接触し、第２弾性片４０と相手側第２弾性片４０Ａとの双方が弾性的に変形する。
【００２６】
本体部３１の底壁部３４には、底壁側保持孔４４が形成され、本体部３１の天井壁部３６には、天井壁側保持孔４５が形成されている。一方、ハウジング２０のキャビティ２１の底面には、底壁側保持孔４４に嵌まり込んで係止することにより本体部３１を前方に抜け止めされた状態に保持する底面側突起２２が形成され、ハウジング２０のキャビティ２１の天井面には、天井壁側係止孔４５に嵌まり込んで係止することにより本体部３１を前方に抜け止めされた状態に保持する天井面側突起２３が形成されている。
【００２７】
また、ハウジング２０のキャビティ２１の天井面には、本体部３１の天井壁部３６の後端に後方から係止する係止壁部２４が形成されている。この係止壁部２４は、本体部３１を後方に抜け止めされた状態に保持する。したがって、本体部３１は、ハウジング２０のキャビティ２１に収容された状態において前後方向に移動することが抑制され、正規挿入状態に保持される。
【００２８】
ハウジング２０は、図４に示すように、底壁側第１弾性片３８の下面に沿って配された底面側係止片２５と、天井壁側第１弾性片３９の上面に沿って配された天井面側係止片２６とを有している。底面側係止片２５は、ハウジング２０の前面下部から前方に張り出す形態をなし、その下面には、底面側係止部２７が形成されている。天井面側係止片２６は、ハウジング２０の前面上部から前方に張り出す形態をなし、その上面には、天井面側係止部２８が形成されている。
【００２９】
底面側係止片２５は、底壁側第１弾性片３８の撓み空間を確保しつつその撓み空間側に設けられている。底面側係止部２７は、底面側係止片２５における底壁側第１弾性片３８とは反対側の面に設けられている。また、天井面側係止片２６は、天井壁側第１弾性片３９の撓み空間を確保しつつその撓み空間側に設けられている。天井面側係止部２８は、天井面側係止片２６における天井壁側第１弾性片３９とは反対側の面に設けられている。各係止片２５、２６は、図４に示すように、各第１弾性片３８、３９よりも一回り大きく、これらの第１弾性片３８、３９を保護する役割を果たしている。
【００３０】
ハウジング２０におけるキャビティ２１の左右両側には、一対の凹部２９が形成されている。これらの凹部２９には、底面側係止片２５と天井面側係止片２６がそれぞれ収容可能とされている。凹部２９はキャビティ２１と連通しており、キャビティ２１に収容された端子３０の本体部３１の側壁部３５が凹部２９に臨むようになっている。そして、凹部２９においてキャビティ２１と反対側の壁部には、係止孔４６が貫通して形成されている。したがって、ハウジング２０と相手側ハウジング２０Ａとを嵌合させると、図６に示すように、底面側係止片２５と天井面側係止片２６が一対の相手側凹部２９Ａに嵌合し、底面側係止部２７と天井面側係止部２８が相手側の各係止孔４６Ａに嵌まり込んで係止することにより、コネクタ１０と相手側コネクタ１０Ａとが正規嵌合状態に保持される。これに伴って、端子３０と相手側端子３０Ａとが正規接続状態に保持される。
【００３１】
本実施形態は以上のような構成であって、続いてその作用を説明する。まず、端子３０をハウジング２０に組み付ける。端子３０は、ハウジング２０の前方からキャビティ２１に挿入され、本体部３１の後端が係止壁部２４に当接することでキャビティ２１への挿入動作が停止される。また、底面側突起２２が底壁側保持孔４４に嵌まり込み、天井面側突起２３が天井壁側保持孔４５に嵌まり込むことで端子３０がキャビティ２１に保持される。これにより、端子３０が正規挿入状態に保持されてコネクタ１０が構成される。以上の手順は相手側端子３０Ａについても同様に行い、相手側コネクタ１０Ａが構成される。
【００３２】
次に、コネクタ１０と相手側コネクタ１０Ａの嵌合を行う。相手側コネクタ１０Ａは、コネクタ１０と前後方向に同軸に配置してから９０°回転させた姿勢でコネクタ１０との嵌合を行う。
【００３３】
端子３０と相手側端子３０Ａの嵌合について説明すると、図２に示すように、端子３０の一対の第１弾性片３８、３９の間に相手側本体部３１Ａが挟持され、一対の接点部４１、４２が相手側の側壁部３５Ａの外面に弾性的に線接触する。さらに、第２弾性片４０の第２接点部４３が相手側第２接点部４３Ａに弾性的に点接触する。この状態では、端子３０は３箇所の接点部４１、４２、４３で相手側端子３０Ａと導通がとられており、端子３０と相手側端子３０Ａ間の接触抵抗を下げることができる。また、一対の第１弾性片３８、３９と相手側本体部３１Ａの間に発生する摩擦抵抗により、端子３０と相手側端子３０Ａが正規接続状態に保持される。
【００３４】
次に、ハウジング２０と相手側ハウジング２０Ａの嵌合について説明すると、一対の係止片２５、２６が一対の相手側凹部２９Ａに嵌合し、一対の係止部２７、２８が一対の相手側係止孔４６Ａに嵌まり込んで係止する。これにより、コネクタ１０と相手側コネクタ１０Ａが正規嵌合状態に保持される。
【００３５】
ところで、正規嵌合状態で振動が発生した場合に、前後方向の振動に対しては一対の第２弾性片４０、４０Ａが弾性的に接触することで第２接点部同士４３、４３Ａの摺動摩耗が抑制され、上下方向の振動に対しては一対の第１弾性片３８、３９が相手側本体部３１Ａに弾性的に接触することで各接点部４１、４２と相手側本体部３１Ａとの摺動摩耗が抑制され、左右方向の振動に対しては一対の相手側第１弾性片３８Ａ、３９Ａが本体部３１に弾性的に接触することで相手側の各接点部４１Ａ、４２Ａと本体部３１との摺動摩耗が抑制される。このように、前後方向、上下方向、および左右方向のいずれの振動に対しても各接点部４１、４２、４３、４１Ａ、４２Ａ、４３Ａが同時に摩耗することを回避できる。
【００３６】
以上のように本実施形態によると、端子３０に対して相手側端子３０Ａを９０°回転させた姿勢で接続させることにより、一対の端子３０、３０Ａを正規に接続させることができる。このとき、一対の第１弾性片３８、３９は、相手側の側壁部３５Ａに弾性的に接触し、相手側の一対の第１弾性片３８Ａ、３９Ａは、一対の側壁部３５に弾性的に接触し、第２弾性片４０は、相手側第２弾性片４０Ａに弾性的に接触した状態となる。ここで仮に相手側端子３０Ａが固定されているとした場合、端子３０が上下方向両側に移動しようとすると、一対の第１弾性片３８、３９が相手側の側壁部３５Ａに当接することでその移動が阻止される。また、雄雌共用端子が第２方向両側に移動しようとすると、第２壁部が相手側の第１弾性片に当接することでその移動が阻止される。さらに、端子３０が前側に移動しようとすると、第２弾性片４０が相手側第２弾性片４０Ａに当接することでその移動が阻止される。したがって、振動や摺動によって第１弾性片３８、３９と相手側の側壁部３５Ａとの接触部、第２弾性片４０、４０Ａ同士の接触部が同時に摩耗することを回避でき、接触抵抗の増加を阻止できる。
【００３７】
底壁側第１弾性片３８、および天井壁側第１弾性片３９は、正規接続状態で相手側の側壁部３５Ａに線接触する底壁側接点部４１、および天井壁側接点部４２を有する構成としてもよい。
このような構成によると、端子３０がわずかに傾いた場合であっても、第１弾性片３８、３９と相手側の側壁部３５Ａとの接触面積が急激に変動することはなく、安定した接触抵抗を得ることができる。また、第一弾性片３８、３９は本体部３１と繋がるため、嵌合時に高温による接点接圧の低下が発生しにくい。
【００３８】
第２弾性片４０は、正規接続状態で相手側第２弾性片４０Ａに点接触する第２接点部４３を有する構成としてもよい。
このような構成によると、第２弾性片４０と相手側第２弾性片４０Ａとが点接触するため、面接触する場合よりも接圧を高めることができる。また、端子３０がわずかに傾いた場合であっても、第２弾性片４０と相手側第２弾性片４０Ａとの接触面積が急激に変動することはなく、安定した接触抵抗を得ることができる。
【００３９】
本体部３１は四角筒状をなし、底壁部３４と、天井壁部３６と、一対の側壁部３５とからなる構成としてもよい。
このような構成によると、本体部３１の構成を簡素化することができ、端子３０をプレス加工によって製造しやすくなる。
【００４０】
また、本明細書によって開示されるコネクタ１０は、上記の端子３０と、同一形状をなす相手側ハウジング２０Ａに嵌合可能とされ、端子３０を収容して保持するハウジング２０とを備え、ハウジング２０は、係止部２７、２８と、相手側ハウジング２０Ａに設けられた係止部２７Ａ、２８Ａと係止することで相手側ハウジング２０Ａと正規に嵌合した正規嵌合状態に保持する係止孔４６とを有する構成としてもよい。
このような構成によると、係止部２７、２８と相手側の係止孔４６Ａとを係止させることで、ハウジング２０と相手側ハウジング２０Ａとを正規嵌合状態に保持することができる。これに伴って、端子３０と相手側端子３０Ａとを正規接続状態に保持することができる。
【００４１】
ハウジング２０は、第１弾性片３８の撓み空間を確保しつつその撓み空間側に設けられた係止片２５、２６を有し、係止部２７、２８は、係止片２５、２６における第１弾性片３８とは反対側に設けられている構成としてもよい。
このような構成によると、係止片２５、２６によって第１弾性片３８を保護することができる。
【００４２】
ハウジング２０は、正規嵌合状態で相手側係止片２５Ａ、２６Ａを収容する凹部２９を有し、側壁部３５は、凹部２９に臨んで配される構成としてもよい。
このような構成によると、相手側係止片２５Ａ、２６Ａが凹部２９に収容されることで側壁部３５が相手側係止片２５Ａ、２６Ａによって保護される。
【００４３】
＜実施形態２＞
次に、実施形態２を図７の図面を参照しながら説明する。実施形態２の雄雌共用端子（以下「端子」という。）５０は、実施形態１の端子３０の底壁側接点部４１および天井壁側接点部４２の構成を変更したものであって、その他の構成については同じものとされている。実施形態１と同じ構成については同一の符号を付すものとする。
【００４４】
実施形態１の底壁側接点部４１および天井壁側接点部４２は、略半円形の断面形状を有していたが、本実施形態の底壁側接点部５１および天井壁側接点部５２は、略半円形の手前側に傾斜面を設ける断面形状を有している。このような構成によると、端子５０を相手側端子５０Ａに正規に嵌合する際に、各接点部５１、５２が相手側本体部３１Ａの外縁を乗り上げやすくなるため、嵌合力が低減する。
【００４５】
＜実施形態３＞
次に、実施形態３を図８の図面を参照しながら説明する。実施形態３の雄雌共用端子（以下「端子」という。）６０は、実施形態１の端子３０の底壁側第１弾性片３８および天井壁側第１弾性片３９の構成を変更したものであって、その他の構成については同じものとされている。実施形態１と同じ構成については同一の符号を付すものとする。
【００４６】
実施形態１の底壁側第１弾性片３８および天井壁側第１弾性片３９は、それぞれ単一の金属板で構成されていたが、実施形態３の底壁側第１弾性片６１および天井壁側第１弾性片６２は、それぞれ複数の金属板で構成されている。具体的には、底壁部３４の前縁から左右一対の底壁側第１弾性片６１が前方に延出され、天井壁部３６の前縁から左右一対の天井壁側第１弾性片６２が前方に延出されている。各弾性片６１、６２は独立して弾性変形可能とされ、各弾性片６１、６２にそれぞれ接点部６３、６４が形成されている。底壁側第１弾性片６１の前端側に底壁側接点部６３が形成され、天井壁側第１弾性片６２の前端側に天井壁側接点部６４が形成されている。このような構成によると、相手側端子６０Ａがわずかに回転した場合であっても、各弾性片６１、６２が相手側端子６０Ａに追従して独立して弾性変形するため、相手側端子６０Ａに対する接触状態が急激に変化することを回避できる。
【００４７】
＜実施形態４＞
次に、実施形態４を図９の図面を参照しながら説明する。実施形態４の雄雌共用端子（以下「端子」という。）７０は、実施形態１の端子３０の第２弾性片４０の構成を変更したものであって、その他の構成については同じものとされている。実施形態１と同じ構成については同一の符号を付すものとする。
【００４８】
実施形態１の第２弾性片４０は、その中央部に一つの第２接点部４３を備えて構成されていたが、実施形態４の第２弾性片７１は、複数の第２接点部７２を備えて構成されている。具体的には、第２弾性片７１の中央部を中心として等しい間隔を空けて等角度間隔で４つの第２接点部７２が形成されている。このような構成によると、４つの第２接点部７２が相手側の第２接点部（図示せず）にそれぞれ接触するため、接点数を増やして接触抵抗を下げることができる。
【００４９】
＜実施形態５＞
次に、実施形態５を図１０の図面を参照しながら説明する。実施形態５の雄雌共用端子（以下「端子」という。）８０は、実施形態１の端子３０の一対の第１弾性片３８、３９の構成を変更したものであって、その他の構成については同じものとされている。実施形態１と同じ構成については同一の符号を付すものとする。
【００５０】
実施形態１の一対の第１弾性片３８、３９は、それぞれの中央部に一つの接点部４１、４２を備えて構成されていたが、実施形態５の一対の第１弾性片８１、８３は、それぞれ複数の接点部８２、８４を備えて構成されている。具体的には、底壁側接点部８２は、底壁側第１弾性片８１において対角方向に３つ並んで配されている。また、天井壁側接点部８４も、天井壁側第１弾性片８３において対角方向に３つ並んで配されている。このような構成によると、３つの底壁側接点部８２および天井壁側接点部８４が相手側の側壁部３５Ａの外縁を乗り上げるタイミングがずれるため、嵌合力を低減することができる。
【００５１】
＜実施形態６＞
次に、実施形態６を図１１の図面を参照しながら説明する。実施形態６の雄雌共用端子（以下「端子」という。）９０は、実施形態１の端子３０の一対の第１弾性片３８、３９および第２弾性片４０の構成を変更したものであって、その他の構成については同じものとされている。実施形態１と同じ構成については同一の符号を付すものとする。
【００５２】
実施形態１の一対の第１弾性片３８、３９はそれぞれ接点部４１、４２を備えて構成され、第２弾性片４０は第２接点部４３を備えて構成されていたが、実施形態６の一対の第１弾性片９１、９３および第２弾性片９２はいずれも接点部を備えていない。このような構成によると、接点部がない分だけ端子９０の構成を簡素化することができる。また、正規接続状態で、一対の第１弾性片９１、９３および第２弾性片９２は相手側との接触面積が増加するため、接触抵抗を低減できる。
【００５３】
＜他の実施形態＞
本明細書によって開示される技術は上記記述及び図面によって説明した実施形態に限定されるものではなく、例えば次のような種々の態様も含まれる。
（１）上記実施形態では四角筒状の本体部を例示しているものの、一対の第１壁部と一対の第２壁部とを備えた本体部であればよく、例えば八角筒状の本体部としてもよい。
（２）上記実施形態では点接触する第２接点部を例示しているものの、線接触する第２接点部としてもよい。
【符号の説明】
【００５４】
１０…雄雌共用コネクタ
２０…雄雌共用ハウジング
２５…底面側係止片
２６…天井面側係止片
２７…底面側係止部
２８…天井面側係止部
２９…凹部
３０…雄雌共用端子
３１…本体部
３４…底壁部（第１壁部）
３５…側壁部（第２壁部）
３６…天井壁部（第１壁部）
３８…底壁側第１弾性片
３９…天井壁側第１弾性片
４０…第２弾性片
４１…底壁側接点部（第１接点部）
４２…天井壁側接点部（第１接点部）
４３…第２接点部
４６…係止孔（被係止部）
５０…雄雌共用端子
５１…底壁側接点部（第１接点部）
５２…天井壁側接点部（第１接点部）
６０…雄雌共用端子
６１…底壁側第１弾性片
６２…天井壁側第１弾性片
６３…底壁側接点部
６４…天井壁側接点部
７０…雄雌共用端子
７１…第２弾性片
７２…第２接点部
８０…雄雌共用端子
８１…底壁側第１弾性片
８２…底壁側接点部
８３…天井壁側第１弾性片
８４…天井壁側接点部
９０…雄雌共用端子
９１…底壁側第１弾性片
９２…第２弾性片
９３…天井壁側第１弾性片
【図１】
2015201386.tif 000003
【図２】
2015201386.tif 000004
【図３】
2015201386.tif 000005
【図４】
2015201386.tif 000006
【図５】
2015201386.tif 000007
【図６】
2015201386.tif 000008
【図７】
2015201386.tif 000009
【図８】
2015201386.tif 000010
【図９】
2015201386.tif 000011
【図１０】
2015201386.tif 000012
【図１１】
2015201386.tif 000013